(57)【要約】【課題】  シャッターを上げた状態でガイド溝を移動させることができるとともに、シャッターを下げた状態で剛性を保持することができるシャッター用ディスプレイ装置を提供する。【解決手段】  表面にディスプレイシート２を張設し、少なくとも一方が水平方向に移動可能なガイド溝を備えたガイド溝部材に側部が案内されて上下動自在のシャッター３において、シャッターの下縁部にはディスプレイシートを回転自在に巻き取るシート巻き取り軸６を備えた巻き取り部材５を突出状態に接合し、この接合部を基軸として巻き取り部材は回動自在とする。シャッターを上げた状態ではシャッター下縁部は、ガイド溝から離脱するところまで上昇してガイド溝部材を移動可能とし、シャッターを下げた状態では巻き取り部材は床面に当接して回動しャッター下端を床面に当接させる。【選択図】図１
2006265818.tif 000002
【特許請求の範囲】
【請求項１】
表面にディスプレイシートを張設し少なくとも一方が水平方向に移動可能なガイド溝を備えたガイド溝部材に側部が案内されて上下動自在のシャッターにおいて、前記シャッターの下縁部には前記ディスプレイシートを回転自在に巻き取るシート巻き取り軸を備えた巻き取り部材を突出状態に接合するともに、この接合部を基軸として前記巻き取り部材は回動自在とすることにより、前記シャッターを上げた状態では前記シャッター下縁部は前記ガイド溝から離脱するところまで上昇して前記ガイド溝部材を移動可能とし、前記シャッターを下げた状態では前記巻き取り部材は床面に当接して回動しシャッター下端を床面に当接させることを特徴とするシャッター用ディスプレイ装置。
【請求項２】
巻き取り部材の回動軸はシャッターのディスプレイシート側に位置し、巻き取り部材はシャッター下降時に回動してシャッターのディスプレイシート側に位置することを特徴とする請求項１記載のシャッター用ディスプレイ装置。
【請求項３】
巻き取り部材の回動軸はシャッターのディスプレイシートの反対側に位置し、巻き取り部材はシャッター下降時に回動してシャッターにおけるディスプレイシートの反対側に位置することを特徴とする請求項１記載のシャッター用ディスプレイ装置。
【請求項４】
表面にディスプレイシートを張設し少なくとも一方が水平方向に移動可能なガイド溝を備えたガイド溝部材に側部が案内されて上下動自在のシャッターにおいて、前記シャッターの下縁部には前記ディスプレイシートを回転自在に巻き取るシート巻き取り軸を備えた巻き取り部材を突出状態で接合し、該巻き取り部材の両端には前記ガイド溝内に挿脱自在なスライド部材を配設するとともに、前記シャッターを上げた状態ではシャッター下縁部は前記ガイド溝から離脱するところまで上昇しかつ前記スライド部材を前記ガイド溝から離脱させて前記ガイド溝部材を移動可能とし、前記シャッターを下げた状態では前記スライド部材を前記ガイド溝内に挿入してシャッター下端の巻き取り部材をガイド溝に固定することを特徴とするシャッター用ディスプレイ装置。
【請求項５】
ディスプレイシートの基端とシート巻き取り軸及び／又はディスプレイシートの先端と天井部は面状ファスナにより着脱自在とすることを特徴とする請求項１又は４記載のシャッター用ディスプレイ装置。
【請求項６】
巻き取り部材におけるシャッター下降時に最初に床面に当接する部分に対人対物センサーを取り付け、該センサーが感知した時にはシャッター自動停止手段が作動しシャッターの下降を停止することを特徴とする請求項１又は４記載のシャッターディスプレー装置。
【発明の詳細な説明】
【技術分野】
【０００１】
本発明は、店舗等の建物に設置される開閉自在なシャッターにおいて、下降時に人の目にとまりやすいシャッター前面部分が広告宣伝に利用できることに着目して案出されたものであり、シャッターに各種広告宣伝や装飾に供する機能を付加させることを可能とする取り付け容易なシャッター用ディスプレイ装置に関する。
【背景技術】
【０００２】
従来、建物のシャッターに装飾を施すためには、シャッター表面にペンキ等で装飾の表示体を描くことが行われていたが、複数枚の細長いスラットを組み合わせて構成されるシャッターにペンキで表示体を描いても、スラット間の接合部分で表示体が分断されてしまい、装飾としての美観は損なわれていた。また、シャッター表面に表示体をペンキで描くことは、手間と費用が掛かるだけでなく、表示体を変更する場合にもその上からペンキで上書きせざるを得ず、さらに多大な時間と費用を要することとなっていた。
そこで、新たなディスプレイ装置として、既存のシャッターの前面にシャッターと別体の装飾等を施したディスプレイシートを位置させるシャッター用ディスプレイ装置が案出された。このシャッター用ディスプレイ装置は、シャッターの下部にディスプレイシートの巻取装置を配設するとともに、シャッターの上端にディスプレイシートの上端を固定し、シャッターの下降に応じてディスプレイシートを巻取装置から自動的に繰り出す構造のものが存在する。このシャッター用ディスプレイ装置は、既存のシャッターに容易に設置することができ、シャッター表面に各種広告宣伝や装飾を施すことができるという従来にない優れたものである。
【特許文献１】特開２００４−３３９９１８号公報
【発明の開示】
【発明が解決しようとする課題】
【０００３】
このシャッター用ディスプレイ装置は、通常使用するには何ら問題はないのであるが、唯一店舗内に設置される場合に問題が生じる場合があった。それは、例えば金融機関店舗において営業時間の異なる窓口コーナーとＡＴＭコーナーとを間仕切りするシャッターにおいて、シャッターの両側に配設されスラットの両端を上下動自在に案内するレールと称されるガイド溝が建物に固定されておらず、ガイド溝を備えた移動壁、間仕切り体として回転等により移動する場合である。すなわち、シャッターを上げた状態では通行の邪魔になる移動壁、間仕切り体も移動させる必要があった。しかし、シャッターを上げた状態で、前記シャッター用ディスプレイ装置はマグサと称される天井部から下方に突出した状態であって、かつシャッターの下端のスラットもガイド溝に入り込んだままであることから、シャッターを上げてもこのガイド溝を備えた移動壁、間仕切り体は移動することができなかった。
【０００４】
そこで本発明は、この問題を解決すべく、シャッターを上げた状態でシャッターのガイド溝を移動させることができるシャッター用ディスプレイ装置を提供することを目的とする。
【課題を解決するための手段】
【０００５】
前述の目的を達成するため、本発明のシャッター用ディスプレイ装置は、表面にディスプレイシートを張設し少なくとも一方が水平方向に移動可能なガイド溝を備えたガイド溝部材に側部が案内されて上下動自在のシャッターにおいて、前記シャッターの下縁部には前記ディスプレイシートを回転自在に巻き取るシート巻き取り軸を備えた巻き取り部材を突出状態に接合するともに、この接合部を基軸として前記巻き取り部材は回動自在とすることにより、前記シャッターを上げた状態では前記シャッター下縁部は前記ガイド溝から離脱するところまで上昇して前記ガイド溝部材を移動可能とし、前記シャッターを下げた状態では前記巻き取り部材は床面に当接して回動しシャッター下端を床面に当接させることを特徴とするものである。
【０００６】
また本発明は、巻き取り部材の回動軸はシャッターのディスプレイシート側に位置し、巻き取り部材はシャッター下降時に回動してシャッターのディスプレイシート側に位置することを特徴とするものである。
【０００７】
また本発明は、巻き取り部材の回動軸はシャッターのディスプレイシートの反対側に位置し、巻き取り部材はシャッター下降時に回動してシャッターにおけるディスプレイシートの反対側に位置することを特徴とするものである。
【０００８】
また本発明は、表面にディスプレイシートを張設し少なくとも一方が水平方向に移動可能なガイド溝を備えたガイド溝部材に側部が案内されて上下動自在のシャッターにおいて、前記シャッターの下縁部には前記ディスプレイシートを回転自在に巻き取るシート巻き取り軸を備えた巻き取り部材を突出状態で接合し、該巻き取り部材の両端には前記ガイド溝内に挿脱自在なスライド部材を配設するとともに、前記シャッターを上げた状態ではシャッター下縁部は前記ガイド溝から離脱するところまで上昇しかつ前記スライド部材を前記ガイド溝から離脱させて前記ガイド溝部材を移動可能とし、前記シャッターを下げた状態では前記スライド部材を前記ガイド溝内に挿入してシャッター下端の巻き取り部材をガイド溝に固定することを特徴とするものである。
【０００９】
また本発明は、ディスプレイシートの基端及び／又は先端は面状ファスナにより着脱自在とすることを特徴とするものである。
【００１０】
巻き取り部材におけるシャッター下降時に最初に床面に当接する部分に対人対物センサーを取り付け、該センサーが感知した時にはシャッター自動停止手段が作動しシャッターの下降を停止することを特徴とするものである。
【発明の効果】
【００１１】
本発明のシャッター用ディスプレイ装置によれば、表面にディスプレイシートを張設し少なくとも一方が水平方向に移動可能なガイド溝を備えたガイド溝部材に側部が案内されて上下動自在のシャッターにおいて、前記シャッターの下縁部には前記ディスプレイシートを回転自在に巻き取るシート巻き取り軸を備えた巻き取り部材を突出状態に接合するともに、この接合部を基軸として前記巻き取り部材は回動自在とすることで、シャッターを上げた状態ではシャッター下縁部はガイド溝から離脱するところまで上昇してガイド溝部材を移動可能とし、またシャッターを下げた状態では巻き取り部材は床面に当接すると接合部で回動してシャッター下端を床面に当接させるので、開口部を完全に閉じるというシャッター本来の機能を発揮することができる。
【００１２】
また、巻き取り部材の回動軸はシャッターのディスプレイシートの反対側に位置し、巻き取り部材はシャッター下降時に回動してシャッターにおけるディスプレイシートの反対側に位置することで、シャッター下降時にシャッター用ディスプレイ装置の巻き取り部材をディスプレイシートの反対側に隠すことにより、シャッターのディスプレイシート側にいる人によりシャッター用ディスプレイ装置の巻き取り部材を汚損・破損されることを防ぐことができる。
【００１３】
また、表面にディスプレイシートを張設し少なくとも一方が水平方向に移動可能なガイド溝を備えたガイド溝部材に側部が案内されて上下動自在のシャッターにおいて、前記シャッターの下縁部には前記ディスプレイシートを回転自在に巻き取るシート巻き取り軸を備えた巻き取り部材を突出状態で接合し、該巻き取り部材の両端には前記ガイド溝内に挿脱自在なスライド部材を配設することで、シャッターを上げた状態ではシャッター下縁部はガイド溝から離脱するところまで上昇し、かつスライド部材をガイド溝から離脱させてガイド溝部材を移動可能とし、シャッターを下げた状態ではスライド部材をガイド溝内に挿入することでシャッター下端の巻き取り部材をガイド溝に固定して、シャッター全体として剛性を保持しシャッター本来の機能を発揮することができる。
【００１４】
また、ディスプレイシートの基端及び／又は先端は面状ファスナにより着脱自在とすることで、ディスプレイシートの交換を容易に行うことができる。
【００１５】
巻き取り部材におけるシャッター下降時に最初に床面に当接する部分に対人対物センサーを取り付け、該センサーが感知した時にはシャッター自動停止手段が作動しシャッターの下降を停止することで、シャッターと床面との間に挟まれる人身事故、物損事故を防止し、安全性向上に大いに寄与するものである。
【発明を実施するための最良の形態】
【００１６】
図１〜図４は、本発明のシャッター用ディスプレイ装置の第１の実施例を示し、符号１は本発明のシャッター用ディスプレイ装置を示し、２はターポリンシートやＰＶＣ（ポリ塩化ビニル）シート等の可撓性を有する合成樹脂シートからなり、その表面に文字・絵柄等の宣伝広告用若しくは装飾用の表示体を形成したディスプレイシートであり、必要に応じてその表面に透明なポリエステルフィルムやＰＶＣフィルムをラミネートしたりフッ素樹脂等のコーティングをしたりする防汚加工を施してもよい。３は建物に設置されている細長いスラットを複数枚組み合わせたシャッターであり、その両側は床面から天井までシャッターを上下方向に案内するガイド溝に位置している。４は、マグサと称される天井部分であり、シャッター３をシャッターボックスへ導くべく前記ガイド溝から連通している。５はディスプレイシート２を巻き取る方向に常に付勢されているシート巻き取り軸６を備えた巻き取り部材であり、その全体を保護するためにカバー７で覆われている。この巻き取り部材５は、シャッター３下縁部の座板に連設する接合部となるアングル材に設けた回動軸８（シャッターにおけるディスプレイシート側に配設される）に対して延長部材９を介して回動自在に配設されている。尚、ディスプレイシート２の装飾面を保護すべく、シート巻き取り軸６はその装飾面を内側にして巻き取っている。
【００１７】
図１は、シャッター３を上げた状態を示しており、シャッター３下縁部は座板も含めてマグサ４内に収まっていて、この状態ではガイド溝からシャッター３が離脱しており、かつシャッター用ディスプレイ装置１は相対向するガイド溝の間隔よりも短くその内側に位置しているので、ガイド溝を備えたガイド溝部材は移動自在な状態である。前述した従来技術にあっては、シャッター３の座板上にシャッター用ディスプレイ装置が配置されていたことから、そのディスプレイ装置の大きさからしてマグサ内に収めることができず、シャッター３下縁部がマグサから突出してものである。
ディスプレイシート２の先端は、マグサ４に取り付けられたアングル材との間で面状ファスナ１０を用いて着脱自在に固定されているとともに、ディスプレイシート２の基端は巻き取り部材５のシート巻き取り軸６に、同じく面状ファスナを用いて着脱自在に固定されている。この面状ファスナは、シートのずれ方向にはかなりの力にも耐えることができ、かつ２枚のシートを端から剥離する方向に付勢することで分離させることができ、着脱可能で貼り直しも容易な優れたものである。
【００１８】
図２は、図１の状態からシャッター３を下げた状態を示している。巻き取り部材５のシート巻き取り軸６から繰り出したディスプレイシート２が、シャッター３の前面に配置されている。シャッター３がさらに下降し、巻き取り部材５のカバー７両端に対して回動自在に配設され、下端がカバー７よりも下方に位置する突き上げ部材１１が床面１２に当接すると、突き上げ部材１１は図２の回動軸８よりも左側に位置するのでそのモーメントにより、シャッター３が下降するのに応じて突き上げ部材１１が回動しながら巻き取り部材５を、回動軸８を中心として時計方向に回動させる。
【００１９】
そして、図３に示すごとく巻き取り部材５が床面１２上に位置した状態では、突き上げ部材１１はカバー７に重なる程に上昇してしまい、今度は同じくカバー７両端に配設されるローラー１３が床面１２に当接し、このローラー１３もこの状態では図３の回動軸８よりも左側に位置するのでそのモーメントにより、シャッター３が下降するのに応じてローラー１３が回転しながら巻き取り部材５を、回動軸８を中心として時計方向に回動させる。
【００２０】
そして、図４はシャッター３の座板が床面１２に当接してシャッター３が下がりきった状態を示している。この状態で、シャッター３は床面までガイド溝に係合しているので、シャッター３本来の剛性を保持しつつ、ディスプレイシート２がシャッター３前面を好適に装飾するものである。また、シャッター３を上げる際には、シャッター用ディスプレイ装置１の自重により上述した流れと逆に図４→図３→図２→図１の動作となるものである。
【００２１】
図５〜図８は、本発明のシャッター用ディスプレイ装置の第２の実施例を示し、符号２１は第２の実施例のシャッター用ディスプレイ装置であり、この実施例にあってはシャッター下降時にシャッター用ディスプレイ装置２１が、シャッター３におけるディスプレイシートと反対側に反時計方向に回動してディスプレイシート側から見て裏側に隠れるもので、上述した第１の実施例のシャッター用ディスプレイ装置１と逆の動きをするものである。
【００２２】
すなわち、シート巻き取り軸２２を備えカバー２３に覆われた巻き取り部材２４は、シャッター３下縁部の座板に連設する接合部であるアングル材に設けた回動軸２５（シャッターにおけるディスプレイシートと反対側に配設される）に対して延長部材２６を介して回動自在に配設されている。尚、ディスプレイシート２の装飾面を保護すべく、第１の実施例と同様にシート巻き取り軸２２はその装飾面を内側にして巻き取っている。
【００２３】
図５は、シャッター３を上げた状態を示しており、上述した第１の実施例と同様に、シャッター３下縁部は座板も含めてマグサ４内に収まっていて、この状態ではガイド溝からシャッター３が離脱しており、かつシャッター用ディスプレイ装置２１は相対向するガイド溝の間隔よりも短くその内側に位置しているので、ガイド溝は移動自在な状態である。
またディスプレイシート２の先端が、マグサ４に取り付けられたアングル材との間で面状ファスナ１０を用いて着脱自在に固定され、かつディスプレイシート２の基端が巻き取り部材２４のシート巻き取り軸２２に面状ファスナを用いて着脱自在に固定されていることも、第１の実施例と同様である。
【００２４】
図６は、シャッター３を下げた状態を示している。巻き取り部材２４のシート巻き取り軸２２から繰り出したディスプレイシート２が、シャッター３の前面に配置されている。シャッター３がさらに下降し、巻き取り部材２４のカバー２７両端に対して回動自在に配設され、下端がカバー２７よりも下方に位置する突き上げ部材２８が床面１２に当接すると、突き上げ部材２８は図６の回動軸５よりも右側に位置するのでそのモーメントにより、シャッター３が下降するのに応じて突き上げ部材２８が回動しながら巻き取り部材２４を、回動軸２５を中心として反時計方向に回動させる。
【００２５】
そして、図７に示すごとく巻き取り部材２４が床面１２上に位置した状態では、突き上げ部材２８はカバー２７に重なる程に上昇してしまい、今度は同じくカバー２７両端に配設されるローラー２９が床面１２に当接し、このローラー２９もこの状態では図７の回動軸２５よりも右側に位置するのでそのモーメントにより、シャッター３が下降するのに応じてローラー２９が回転しながら巻き取り部材２４を、回動軸２５を中心として反時計方向に回動させる。
【００２６】
図８はシャッター３の座板が床面１２に当接してシャッター３が下がりきった状態を示している。この状態で、ディスプレイシート２はシャッター３の全面をカバーし、巻き取り部材２４はディスプレイシート２側から見て完全に裏側に隠れてしまう。また、シャッター３は床面までガイド溝に係合しているので、シャッター３本来の剛性を保持するものである。また、シャッター３を上げる際には、第１の実施例と同様にシャッター用ディスプレイ装置２１の自重により上述した流れと逆に図８→図７→図６→図５の動作となるものである。
【００２７】
図９〜図１２は、本発明のシャッター用ディスプレイ装置の第３の実施例を示し、符号３１は第３の実施例のシャッター用ディスプレイ装置であり、この実施例にあっては巻き取り部材３２が延長部材３３を介してシャッター３の下端に固定されている。
【００２８】
図９は、シャッター３を上げた状態を示しており、シャッター３下縁部は座板も含めてマグサ４内に収まっていて、この状態ではガイド溝からシャッター３が離脱しており、かつシャッター用ディスプレイ装置３１は相対向するガイド溝の間隔よりも短くその内側に位置しているので、ガイド溝は移動自在な状態である。また図１０は、シャッター３が下がりきって、巻き取り部材３２の下面が床面１２に当接した状態を示している。
【００２９】
ただしこのままでは、図１０のシャッター３が下がっている状態では、シャッター３下端の巻き取り部材３２がガイド溝に係合していないので、この部分の剛性がなく防犯上問題が生じることとなる。そこで、図１１〜図１２に示すごとく、巻き取り部材３２の両端部分に、ガイド溝３４に挿脱自在なスライド板３５を備えた差し込み部材３６を配設することとする。３７は、スライド板３５をスライドさせる際に把持する把手であり、ディスプレイシート２と反対側に配設され、シャッター３を下げきった後で、スライド板３５の先端をガイド溝３４に挿入すべく手動で操作し、またシャッター３を上げる際にはスライド板３５をガイド溝３４から抜き去るものである。これにより、シャッター３が下がっている状態でシャッター３も巻き取り部材３２もガイド溝３４に係合して剛性を保持するとともに、シャッター３が上がっている状態では巻き取り部材３２はガイド溝３４に係合せずにガイド溝３４を移動自在とすることができるものである。
【００３０】
図１３及び図１４は、上述した第３の実施例における手動で操作するスライド板を、リニアガイドと回転軸を利用して自動的にガイド溝に挿脱することができる構成とした第４の実施例である。本実施例のシャッター用ディスプレイ装置４１にあっては、シャッター３の下端に延長部材４２が固定され、この延長部材４２を介して巻き取り部材４３が配設されるとともに、延長部材４２の下端にアングル状の支持板４４が固定されている。
この支持板４４には、第１のリニアガイド４５のガイドプレート４６が配設されるとともに、このガイドプレート４６はスライドレール４７を上下動自在に、かつバネ（図示せず）により常に上方に向かって押動付勢しながら係合している。このスライドレール４７の上端には天井４８に当接させるためのアングル状の当接部材４９が取り付けられている。
また、スライドレール４７の下部には、先端に回転自在な回転軸５０を備えた案内部材５１の基端部が延長部材を介して固定されている。
また前記支持板４４には、支柱を介して第２のリニアガイド５２のスライドレール５３が配設されるとともに、このスライドレール５３はガイドプレート５４を左右動自在に、かつバネ（図示せず）により常に右方向に向かって押動付勢しながら係合し（ガイドプレート５４からみれば、スライドレール５３を左方向に押動付勢している）、さらにガイドプレート５４はガイド溝に挿脱させるためのスライド板５５を固定している。この第２のリニアガイド５２は、支持板４４に対してスライド板５５を左右方向にのみ移動させるように規制している。５６は、スライド板５５に配設されていて前記回転軸５０を摺動自在に案内する約４５°に傾斜した溝を設けたガイド部材であり、回転軸５０の上下方向の動きを、左右方向の動きに変換させるためのものである。この第２のリニアガイド５２及びガイド部材５６により、回転軸５０（すなわち第１のリニアガイド４５のスライドレール４７）の上下方向の動きを、スライド板５５の左右方向の動きに変換させることができるものである。５７は、ガイド溝を備えた移動可能なガイド溝部材である。
【００３１】
このような構成からなる第４の実施例のシャッター用ディスプレイ装置４１について、その動作を説明する。図１３は、シャッター３及びシャッター用ディスプレイ装置４１が上昇し、天井４８に到達する寸前の状態を示しており、この状態までスライド板５５の右部分はガイド溝部材５７のガイド溝に入り込んで係合している。また、第１のリニアガイド４５のスライドレール４７は、上方に突出して天井４８に当接する寸前であり、シャッター３及びシャッター用ディスプレイ装置４１がもう少し上昇すると当接部材４９が天井４８に当接し、スライドレール４７は停止する。この状態で、さらにシャッター用ディスプレイ装置４１が上昇すると、図１４に示すごとく、停止している回転軸５０に対してガイド部材５６が上昇しようとする上方向の動きが左方向の動きに変換され、ガイド部材５６は左方向に移動する。これと同時に、ガイド板５６が固定されるスライド板５５も左方向に移動するとともに、スライド板５５に固定されたガイドプレート５４もスライドレール５３に案内されて左方向に移動するものである。
これにより、スライド板５５の右端は、ガイド溝部材５７のガイド溝から抜け出て、ガイド溝部材５７は移動可能となる。
【００３２】
スライド板５５の右上端には、ガイド溝部材５７のガイド溝方向に突出する凸部５８が設けられており、図１４（ａ）に示すごとく、凸部５８の右端は、ガイド溝部材５７が左方向に動いてガイド溝部材５７のガイド溝から抜け出た状態でも、天井内のガイド溝に入り込んでいる状態である。これは、シャッター用ディスプレイ装置４１が下降し、スライド板５５をガイド溝部材５７のガイド溝に挿入する際に案内とするためのものであり、すなわち図１４（ｂ）においてスライド板５５が左右方向に位置ずれしないようにするための作用を発揮するものである。
【００３３】
つぎに、シャッター３及びシャッター用ディスプレイ装置４１が下降すると、第１のリニアガイド４５のスライドレール４７は上方に押動付勢されていることから、当接部材４９を天井４８に当接させたままそれ以外のシャッター用ディスプレイ装置４１が下降する。この際、スライドレール４７とともに回転軸５０が停止している状態で、ガイド部材５６が下降しようとする下方向の動きが右方向に変換され、スライド板５５が右方向に移動し、同時にガイドプレート５４もスライドレール５３に案内されて右方向に移動する。そして、スライド板５５の右端はガイド溝部材５７のガイド溝に挿入され、スライドレール４７のストローク以上にシャッター用ディスプレイ装置４１が下降したところで、スライドレール４７も天井４８から離れて全体が下降するものである。
【００３４】
図１５及び図１６は、上述した第４の実施例におけるスライド板を、下降したときに自動的にガイド溝に挿入する構成とした第５の実施例である。本実施例のシャッター用ディスプレイ装置６１にあっては、シャッター（図示せず）の下端に延長部材６２が固定され、この延長部材６２を介して巻き取り部材（図示せず）が配設されるとともに、延長部材６２の下端にアングル状の支持板６４が固定されている。
この支持板６４には、第１のリニアガイド６５のガイドプレート６６が配設されるとともに、このガイドプレート６６はスライドレール６７を上下動自在に、かつバネ（図示せず）により常に下方に向かって押動付勢しながら係合している。このスライドレール６７の下端は床面６８に当接する構成となっている。
また、スライドレール６７の中途部分には、先端に回転自在な回転軸７０を備えた案内部材７１の基端部が延長部材を介して固定されている。
また前記支持板６４には、支柱を介して第２のリニアガイド７２のスライドレール７３が配設されるとともに、このスライドレール７３はガイドプレート７４を左右動自在に、かつバネ（図示せず）により常に右方向に向かって押動付勢しながら係合し（ガイドプレート７４からみれば、スライドレール７３を左方向に押動付勢している）、さらにガイドプレート７４はガイド溝に挿脱させるためのスライド板７５を固定している。この第２のリニアガイド７２は、支持板６４に対してスライド板７５を左右方向にのみ移動させるように規制している。７６は、スライド板７５に配設されていて前記回転軸７０を摺動自在に案内する約４５°に傾斜した溝を設けたガイド部材であり、回転軸７０の上下方向の動きを、左右方向の動きに変換させるためのものである。この第２のリニアガイド７２及びガイド部材７６により、回転軸７０（すなわち第１のリニアガイド６５のスライドレール６７）の上下方向の動きを、スライド板７５の左右方向の動きに変換させることができるものである。７７は、ガイド溝を備えた移動可能なガイド溝部材である。
【００３５】
このような構成からなる第５の実施例のシャッター用ディスプレイ装置６１について、その動作を説明する。図１５は、シャッター３及びシャッター用ディスプレイ装置６１が天井４８に位置する状態を示しており、この状態でスライド板７５の左部分はガイド溝部材７７のガイド溝から離脱している。そして、シャッターとシャッター用ディスプレイ装置６１が一体に下降し、床面６８に当接するまでの間、スライド板７５は左右方向に動くことなくガイド溝部材７７のガイド溝から離脱したままである。
そして、図１６に示すごとく、下方に突出していたスライドレール６７は、その下端が床面６８に当接すると停止する。この状態で、さらに床面６８に当接するまでシャッター用ディスプレイ装置６１が下降すると、図１６に示すごとく、床面６８から見て停止している回転軸７０に対してガイド部材７６が下降しようとする下方向の動きが左方向の動きに変換され、ガイド部材７６は左方向に移動する。これと同時に、ガイド板７６が固定されるスライド板７５も左方向に移動するとともに、スライド板７５に固定された第２のリニアガイド７２のガイドプレート７４もスライドレール７３に案内されて左方向に移動するものである。
これにより、スライド板７５の左端は、ガイド溝部材７７のガイド溝に入り込んで、堅固に係合するものである。
【００３６】
つぎに、シャッター及びシャッター用ディスプレイ装置６１が床面６８から上昇すると、第１のリニアガイド６５のスライドレール６７は下方に押動付勢されていることから、スライドレール６７の下端を床面６８に当接させたままそれ以外のシャッター用ディスプレイ装置６１が上昇する。この際、スライドレール６７とともに回転軸７０が停止している状態で、ガイド部材７６が上昇しようとする上方向の動きが右方向に変換され、スライド板７５が右方向に移動し、同時に第２のリニアガイド７２のガイドプレート７４もスライドレール７３に案内されて右方向に移動する。そして、スライド板７５の左端はガイド溝部材７７のガイド溝から離脱し、スライドレール６７のストローク以上にシャッター用ディスプレイ装置６１が上昇したところで、スライドレール６７も床面６８から離れて全体が上昇するものである。
【００３７】
図１７は、本発明のシャッター用ディスプレイ装置に対人対物センサーを取り付けた第６の実施例を示す。
８１は対人対物センサー部であり、上下動自在のシャッター８２の下部に配設され、シャッター下降時に床面に当接する部分である、シート巻き取り軸を備えた巻き取り部材であるシャッターディスプレイボックス８３の下部全幅にわたって取付けられている。
したがって、シャッター下降時シャッター８２が床面８４に着く前に人体等に接触し対人対物センサー部８１が感知した時には、対人対物センサー部８１からの信号が送られる図示しないシャッター自動停止手段が作動し、シャッター８２の下降は自動的に停止され、シャッター下部と床面との間に人あるいは物が介在していたとしても、不慮の人身事故あるいは物の損壊を未然に防止することができる。
シャッターの重量は、通常５００ｋｇ程度になるので対人対物センサー部８１を取付けることにより人身事故、物損事故等を完璧に防止することができ極めて有用である。
この第６の実施例は、上述した第３の実施例、第４の実施例及び第５の実施例のごとく、巻き取り部材がシャッター下部に固定されている場合に適用されるものである。これ以外に、上述した第１の実施例及び第２の実施例のごとく、巻き取り部材が回動する場合であっても、巻き取り部材におけるシャッター下降時に最初に床面に当接する部分に前記対人対物センサーを取り付けることも可能である。
【図面の簡単な説明】
【００３８】
【図１】本発明のシャッター用ディスプレイ装置の第１の実施例を示す説明図である。
【図２】本発明のシャッター用ディスプレイ装置の第１の実施例を示す説明図である。
【図３】本発明のシャッター用ディスプレイ装置の第１の実施例を示す説明図である。
【図４】本発明のシャッター用ディスプレイ装置の第１の実施例を示す説明図である。
【図５】本発明のシャッター用ディスプレイ装置の第２の実施例を示す説明図である。
【図６】本発明のシャッター用ディスプレイ装置の第２の実施例を示す説明図である。
【図７】本発明のシャッター用ディスプレイ装置の第２の実施例を示す説明図である。
【図８】本発明のシャッター用ディスプレイ装置の第２の実施例を示す説明図である。
【図９】本発明のシャッター用ディスプレイ装置の第３の実施例を示す説明図である。
【図１０】本発明のシャッター用ディスプレイ装置の第３の実施例を示す説明図である。
【図１１】本発明のシャッター用ディスプレイ装置の第３の実施例を示す説明図である。
【図１２】本発明のシャッター用ディスプレイ装置の第３の実施例を示す説明図である。
【図１３】本発明のシャッター用ディスプレイ装置の第４の実施例を示し、（ａ）は正面図、（ｂ）は側断面図である。
【図１４】本発明のシャッター用ディスプレイ装置の第４の実施例を示し、（ａ）は正面図、（ｂ）は側断面図である。
【図１５】本発明のシャッター用ディスプレイ装置の第５の実施例を示し、（ａ）は正面図、（ｂ）は側断面図である。
【図１６】本発明のシャッター用ディスプレイ装置の第５の実施例を示し、（ａ）は正面図、（ｂ）は側断面図である。
【図１７】本発明のシャッター用ディスプレイ装置の第６の実施例を示し、（ａ）は正面図、（ｂ）は側面図である。
【符号の説明】
【００３９】
１  シャッター用ディスプレイ装置
２  ディスプレイシート
３  シャッター
４  マグサ
５  巻き取り部材
６  シート巻き取り軸
７  カバー
８  回動軸
９  延長部材
１０  面状ファスナ
１１  突き上げ部材
１２  床面
１３  ローラー
２１  シャッター用ディスプレイ装置
２２  シート巻き取り軸
２３  カバー
２４  巻き取り部材
２５  回動軸
２６  延長部材
２７  カバー
２８  突き上げ部材
２９  ローラー
３１  シャッター用ディスプレイ装置
３２  巻き取り部材
３３  延長部材
３４  ガイド溝
３５  スライド板
３６  差し込み部材
３７  把手
４１  シャッター用ディスプレイ装置
４３  巻き取り部材
４４  支持板
４５  第１のリニアガイド
４６  ガイドプレート
４７  スライドレール
４８  天井
４９  当接部材
５０  回転軸
５１  案内部材
５２  第２のリニアガイド
５３  スライドレール
５４  ガイドプレート
５５  スライド板
５６  ガイド部材
５７  ガイド溝部材
５８  凸部
６１  シャッター用ディスプレイ装置
６５  第１のリニアガイド
７０  回転軸
７２  第２のリニアガイド
７５  スライド板
７６  ガイド部材
８１  対人対物センサー部
８２  シャッター
８３  シャッターディスプレイボックス
８４  床面
【図１】
2006265818.tif 000003
【図２】
2006265818.tif 000004
【図３】
2006265818.tif 000005
【図４】
2006265818.tif 000006
【図５】
2006265818.tif 000007
【図６】
2006265818.tif 000008
【図７】
2006265818.tif 000009
【図８】
2006265818.tif 000010
【図９】
2006265818.tif 000011
【図１０】
2006265818.tif 000012
【図１１】
2006265818.tif 000013
【図１２】
2006265818.tif 000014
【図１３】
2006265818.tif 000015
【図１４】
2006265818.tif 000016
【図１５】
2006265818.tif 000017
【図１６】
2006265818.tif 000018
【図１７】
2006265818.tif 000019